(57)【要約】【課題】探索により検出したストロボ発光が可能な装置を撮影時に発光させることにより、暗所でも連続撮影を行うこと。【解決手段】閃光体管理部１０１は、探索により検出したストロボ装置１６０に対して、撮影部１０４で撮影する際に発光することを指示する。撮影部１０４は、撮影する。通信制御部１０５は、ストロボ発光可能なストロボ装置を探索するための探索信号を生成するとともに、ストロボ発光可能なストロボ装置から送信されたＡＣＫ信号を受信信号から抽出する。閃光制御部１１４は、撮影装置１５０から送信されたストロボ発光を指示する発光指示信号を取得した際に、閃光部１１５に対して、ストロボ発光することを指示する。【選択図】図１
2009033668.tif 000002
【特許請求の範囲】
【請求項１】
画像を撮影する撮影手段と、
前記撮影手段での撮影の際にストロボ発光が可能な相手装置を検出する探索手段と、
前記探索手段により検出した前記相手装置に対して前記撮影手段での撮影の際にストロボ発光することを指示する指示手段と、
を具備する撮影装置。
【請求項２】
前記探索手段により検出した前記相手装置の各々のストロボ発光の発光タイミングを決定する発光タイミング決定手段を具備し、
前記指示手段は、決定した前記発光タイミングでストロボ発光することを前記相手装置に対して指示する請求項１記載の撮影装置。
【請求項３】
前記発光タイミング決定手段は、前記相手装置が所定の時間間隔で順次発光する前記発光タイミングを決定する請求項２記載の撮影装置。
【請求項４】
前記探索手段で検出した前記相手装置の電源の電圧値の情報である電圧情報を受信する受信手段を具備し、
前記指示手段は、前記電圧情報の電圧値がストロボ発光可能な電圧値になるまでの時間を求めるとともに、求めた前記時間の経過後にストロボ発光することを指示する請求項１から請求項３のいずれかに記載の撮影装置。
【請求項５】
ストロボ発光の要求を取得する取得手段と、
前記要求を取得した際に任意の時間を設定する発光タイミング設定手段と、
設定した前記時間が経過した後にストロボ発光するストロボ発光手段と、
を具備するストロボ装置。
【請求項６】
撮影装置が、撮影する際にストロボ発光が可能なストロボ装置を探索するステップと、
前記撮影装置が、探索により検出した前記ストロボ装置に対して撮影の際にストロボ発光することを指示するステップと、
前記撮影装置が、前記指示に従って前記ストロボ装置が発光する際に撮影を行うステップと、
を具備する撮影方法。
【発明の詳細な説明】
【技術分野】
【０００１】
本発明は、撮影装置、ストロボ装置及び撮影方法に関する。
【背景技術】
【０００２】
従来、カメラ機能を有する携帯電話が、ストロボ機能を有するカメラに対して、撮影操作のタイミングを通知する技術が知られている（例えば、特許文献１）。そして、ストロボ機能を有するカメラは、カメラ機能を有する携帯電話が撮影する際に、撮影と同期してストロボを発光する。
【特許文献１】特開２００３−１８４５９号公報
【発明の開示】
【発明が解決しようとする課題】
【０００３】
しかしながら、特許文献１においては、ストロボ機能を有するカメラのストロボを発光させるには都度充電が必要であり、連続して発光させるのは困難であるという問題がある。
【０００４】
本発明はかかる点に鑑みてなされたものであり、探索により検出したストロボ発光が可能な装置を撮影時に発光させることにより、暗所でも連続撮影を行うことができる撮影装置、ストロボ装置及び撮影方法を提供することを目的とする。
【課題を解決するための手段】
【０００５】
本発明の撮影装置は、画像を撮影する撮影手段と、前記撮影手段での撮影の際にストロボ発光が可能な相手装置を検出する探索手段と、前記探索手段により検出した前記相手装置に対して前記撮影手段での撮影の際にストロボ発光することを指示する指示手段と、を具備する構成を採る。
【０００６】
本発明のストロボ装置は、ストロボ発光の要求を取得する取得手段と、前記要求を取得した際に任意の時間を設定する発光タイミング設定手段と、設定した前記時間が経過した後にストロボ発光するストロボ発光手段と、を具備する構成を採る。
【０００７】
本発明の撮影方法は、撮影装置が、撮影する際にストロボ発光が可能なストロボ装置を探索するステップと、前記撮影装置が、探索により検出した前記ストロボ装置に対して撮影の際にストロボ発光することを指示するステップと、前記撮影装置が、前記指示に従って前記ストロボ装置が発光する際に撮影を行うステップと、を具備するようにした。
【発明の効果】
【０００８】
本発明によれば、探索により検出したストロボ発光が可能な装置を撮影時に発光させることにより、暗所でも連続撮影を行うことができる。
【発明を実施するための最良の形態】
【０００９】
以下、本発明の実施の形態について、図面を参照して詳細に説明する。
【００１０】
（実施の形態１）
図１は、本発明の実施の形態１に係る撮影システム１００の構成を示すブロック図である。撮影システム１００は、撮影装置１５０及びストロボ装置１６０を含む。本実施の形態において、撮影装置１５０及びストロボ装置１６０は、何れも携帯電話等の通信端末装置である。なお、撮影装置１５０及びストロボ装置１６０は、通信端末装置である場合に限らず、任意の装置にすることができる。また、撮影システム１００において、ストロボ装置１６０は、１つに限らず複数存在する場合もあるが、図１では説明の都合上、ストロボ装置１６０を１つだけ記載し、他のストロボ装置の記載は省略する。
【００１１】
最初に、撮影装置１５０の構成について、図１を用いて説明する。
【００１２】
指示手段としての閃光体管理部１０１は、ストロボ装置１６０から送信されたＡＣＫ信号が撮影制御部１０３から入力した場合に、ＡＣＫ信号からストロボ装置１６０固有のＩＤを抽出する。また、閃光体管理部１０１は、撮影部１０４に設けた撮影のためのシャッターが操作された検出結果が撮影制御部１０３から入力した際に、通信制御部１０５に対して、ストロボ装置１６０にストロボ発光を指示するための発光指示信号の生成を要求する。また、その際に、閃光体管理部１０１は、ストロボ発光を指示するストロボ装置１６０のＩＤを通信制御部１０５へ出力する。
【００１３】
タイマ１０２は、タイマ値をカウントアップする。また、タイマ１０２は、リセットの指示を受けてタイマ値をリセットする。
【００１４】
撮影制御部１０３は、通信制御部１０５からＡＣＫ信号が入力した場合に、ＬＥＤを点灯する等により撮影が可能であることを報知する。そして、撮影制御部１０３は、入力したＡＣＫ信号を閃光体管理部１０１へ出力する。また、撮影制御部１０３は、撮影部１０４に設けた撮影のためのシャッターの操作を検出し、検出結果を閃光体管理部１０１へ出力する。
【００１５】
撮影部１０４は、撮影のためのシャッターを有する。また、撮影部１０４は、シャッターの押圧等のシャッターが操作された際に撮影を行う。
【００１６】
探索手段としての通信制御部１０５は、ストロボ装置１６０を探索するための探索信号を生成する。例えば、通信制御部１０５は、電話帳情報に登録されているストロボ装置１６０、または撮影前にＩｒＤＡ（Infrared Data Association）等を用いて一対一通信を行うことによりあらかじめ認識して記憶しておいたストロボ装置１６０を、探索信号の宛先に設定する。また、通信制御部１０５は、閃光体管理部１０１からの要求に従って、閃光体管理部１０１から入力したＩＤのストロボ装置１６０を宛先とする発光指示信号を生成する。そして、通信制御部１０５は、設定されている通信方式に応じて近距離通信部１０６または指向性通信部１０７を選択し、選択した近距離通信部１０６または指向性通信部１０７へ探索信号または発光指示信号を出力する。また、通信制御部１０５は、近距離通信部１０６または指向性通信部１０７から入力した信号からＡＣＫ信号を抽出し、抽出したＡＣＫ信号を撮影制御部１０３へ出力する。通信制御部１０５は、ＡＣＫ信号を抽出することにより、相手装置であるストロボ装置１６０を検出することができる。
【００１７】
近距離通信部１０６は、通信制御部１０５から入力した発光指示信号または探索信号を、近距離の無線通信が可能な信号に変換して送信する。また、近距離通信部１０６は、ストロボ装置１６０から送信された信号を受信し、受信した信号を通信制御部１０５で処理可能な信号に変換して通信制御部１０５へ出力する。
【００１８】
指向性通信部１０７は、通信制御部１０５から入力した発光指示信号または探索信号を、赤外線（Ｉｒ）信号等の指向性を有する信号に変換して送信する。また、指向性通信部１０７は、ストロボ装置１６０から送信されたＡＣＫ信号を受信し、受信したＡＣＫ信号を通信制御部１０５で処理可能な信号に変換して通信制御部１０５へ出力する。
【００１９】
次に、ストロボ装置１６０の構成について、図１を用いて説明する。
【００２０】
近距離通信部１１１は、撮影装置１５０から送信された信号を受信し、受信した信号を通信制御部１１３で処理可能な信号に変換して通信制御部１１３へ出力する。また、近距離通信部１１１は、通信制御部１１３から入力したＡＣＫ信号を、近距離の無線通信が可能な信号に変換して送信する。
【００２１】
指向性通信部１１２は、撮影装置１５０から送信された信号を受信し、受信した信号を通信制御部１１３で処理可能な信号に変換して通信制御部１１３へ出力する。また、指向性通信部１１２は、通信制御部１１３から入力した信号を、赤外線信号等の指向性を有する信号に変換して送信する。
【００２２】
通信制御部１１３は、近距離通信部１１１または指向性通信部１１２から入力した信号から探索信号を抽出した場合に、抽出した探索信号に含まれるアドレスを参照し、受信した探索信号が受信処理すべき信号であるか否かを判定する。また、通信制御部１１３は、受信処理すべき信号であると判定した場合に、閃光制御部１１４に対して、ストロボ発光可能か否かを問い合わせる。また、通信制御部１１３は、閃光制御部１１４からストロボ発光可能である回答が得られた場合に、自局のＩＤを含むＡＣＫ信号を生成する。そして、通信制御部１１３は、設定されている通信方式に応じて近距離通信部１１１または指向性通信部１１２を選択し、選択した近距離通信部１１１または指向性通信部１１２へＡＣＫ信号を出力する。また、通信制御部１１３は、近距離通信部１１１または指向性通信部１１２から入力した信号から発光指示信号を抽出した場合に、抽出した発光指示信号を閃光制御部１１４へ出力する。
【００２３】
閃光制御部１１４は、通信制御部１１３からストロボ発光可能か否かの問い合わせを受けた際に充電管理部１１８に問い合わせる。そして、閃光制御部１１４は、充電管理部１１８からストロボ発光が可能である回答が得られた場合に、ストロボ発光が可能であることを通信制御部１１３に通知する。また、閃光制御部１１４は、通信制御部１１３から発光指示信号が入力した際に、ストロボ発光が可能であるか否かを充電管理部１１８に問い合わせる。そして、閃光制御部１１４は、充電管理部１１８からストロボ発光が可能である回答が得られた場合に、閃光部１１５に対して、ストロボ発光を指示する。一方、閃光制御部１１４は、充電管理部１１８から発光が不可能である回答が得られた場合に、閃光部１１５に対して、通信制御部１１３から新たな発光指示信号が入力するまで発光を待機させる。
【００２４】
閃光部１１５は、閃光制御部１１４の指示に従ってストロボ発光する。
【００２５】
バッテリ１１６は、コンデンサ１１７に充電を行うための電源を供給するとともに、その他のストロボ装置１６０全体の回路へ電源を供給する。
【００２６】
コンデンサ１１７は、閃光部１１５がストロボ発光する際に、閃光部１１５に対して電力を供給する。
【００２７】
充電管理部１１８は、バッテリ１１６の電圧値と、コンデンサ１１７の充電状態を監視する。そして、充電管理部１１８は、閃光制御部１１４からストロボ発光が可能であるか否かの問い合わせを受けた際には、バッテリ１１６の電源電圧値がしきい値以上で且つコンデンサ１１７の充電電圧値がしきい値以上である場合に、閃光制御部１１４に対してストロボ発光が可能であることを回答する。
【００２８】
次に、撮影装置１５０及びストロボ装置１６０の動作について、図２を用いて説明する。図２は、撮影装置１５０及びストロボ装置１６０の動作を示すシーケンス図である。
【００２９】
最初に、撮影制御部１０３は、撮影枚数としてＮ枚の設定を受け付けるとともに（ステップＳＴ２０１）、連続撮影の設定を受け付ける（ステップＳＴ２０２）。
【００３０】
次に、撮影制御部１０３は、通信制御部１０５に対して、連続撮影の設定を受けたことを通知する（ステップＳＴ２０３）。
【００３１】
次に、通信制御部１０５は、ストロボ発光可能なストロボ装置１６０を探索するための探索信号を生成し、近距離通信部１０６または指向性通信部１０７は、探索信号を含む信号を送信する。また、ストロボ装置１６０の近距離通信部１１１または指向性通信部１１２は、探索信号を含む信号を受信し、通信制御部１１３は、受信した信号から探索信号を抽出する（発光可能閃光体確認）（ステップＳＴ２０４）。この際に、近距離通信部１０６は、赤外線を用いて探索信号を送信することにより、探索信号は直進性のある信号になる。また、指向性通信部１０７は、探索信号を指向性送信することができる。これにより、探索信号は、撮影装置１５０が撮影したい方向に存在するストロボ装置１６０のみによって受信されるようにすることができる。
【００３２】
次に、通信制御部１１３は、抽出した探索信号を閃光制御部１１４へ出力する（ステップＳＴ２０５）。
【００３３】
次に、閃光制御部１１４は、充電管理部１１８に対して、ストロボ発光可能か否かを問い合わせる（ステップＳＴ２０６）。
【００３４】
次に、充電管理部１１８は、閃光制御部１１４に対して、ストロボ発光可能であることを通知する（ステップＳＴ２０７）。
【００３５】
次に、閃光制御部１１４は、通信制御部１１３に対して、ストロボ発光可能であることを通知する（ステップＳＴ２０８）。
【００３６】
次に、通信制御部１１３は、ストロボ発光可能であることを撮影装置１５０に通知するために、ストロボ装置１６０のＩＤを含むＡＣＫ信号を生成し、近距離通信部１１１または指向性通信部１１２は、ＡＣＫ信号を含む信号を送信するとともに、撮影装置１５０の近距離通信部１０６または指向性通信部１０７は、ＡＣＫ信号を含む信号を受信し、通信制御部１０５は、受信した信号からＡＣＫ信号を抽出する（閃光可能通知）（ステップＳＴ２０９）。
【００３７】
次に、通信制御部１０５は、抽出したＡＣＫ信号を撮影制御部１０３へ出力する（ステップＳＴ２１０）。
【００３８】
次に、撮影制御部１０３は、ＬＥＤを点灯する等により、撮影が可能であることを報知する。
【００３９】
次に、撮影制御部１０３は、取得したＡＣＫ信号を閃光体管理部１０１へ転送する（ステップＳＴ２１１）。
【００４０】
次に、閃光体管理部１０１は、取得したＡＣＫ信号に含まれるＩＤを抽出する。また、閃光体管理部１０１は、撮影部１０４のシャッターが操作されたことを検出した際に、通信制御部１０５に対して、抽出したＩＤを出力するとともに発光指示信号を生成することを指示する（ステップＳＴ２１２）。閃光体管理部１０１は、複数のＡＣＫ信号が入力した際には、最初に入力したＡＣＫ信号に含まれるＩＤのストロボ装置１６０に対する発光指示信号の生成を指示する。
【００４１】
次に、通信制御部１０５は、発光指示信号を生成し、近距離通信部１０６または指向性通信部１０７は、発光指示信号を含む信号を送信する。また、ストロボ装置１６０の近距離通信部１１１または指向性通信部１１２は、発光指示信号を含む信号を受信し、通信制御部１１３は、受信した信号から発光指示信号を抽出する（発光指示）（ステップＳＴ２１３）。
【００４２】
次に、通信制御部１１３は、抽出した発光指示信号を閃光制御部１１４へ出力する（ステップＳＴ２１４）。
【００４３】
次に、閃光制御部１１４は、充電管理部１１８に対して、ストロボ発光可能か否かを問い合わせる（ステップＳＴ２１５）。
【００４４】
次に、充電管理部１１８は、バッテリ１１６の電源電圧値がしきい値以上で且つコンデンサ１１７の充電電圧値がしきい値以上である場合に、閃光制御部１１４に対してストロボ発光が可能であることを回答する（ステップＳＴ２１６）。
【００４５】
次に、閃光制御部１１４は、閃光部１１５に対してストロボ発光を指示し（ステップＳＴ２１７）、閃光部１１５はストロボ発光する。
【００４６】
このストロボ発光と同時に、撮影制御部１０３は、撮影を行う（ステップＳＴ２１８）。
【００４７】
次に、撮影制御部１０３は、ステップＳＴ２０３で通知した時刻からの経過時間をタイマ１０２のタイマ値を用いて監視し、経過時間が所定時間Δｔになった際に、通信制御部１０５に対してタイムアップを通知する（ステップＳＴ２１９）。その後、タイマ１０２は、タイマ値をリセットする。
【００４８】
次に、通信制御部１０５は、ストロボ発光可能なストロボ装置１６０を探索するための探索信号を生成し、近距離通信部１０６または指向性通信部１０７は、探索信号を含む信号を送信する。また、ストロボ装置１６０の近距離通信部１１１または指向性通信部１１２は、探索信号を含む信号を受信し、通信制御部１１３は、受信した信号から探索信号を抽出する（発光可能閃光体確認）（ステップＳＴ２２０）。
【００４９】
次に、通信制御部１１３は、抽出した探索信号を閃光制御部１１４へ出力する（ステップＳＴ２２１）。
【００５０】
次に、閃光制御部１１４は、充電管理部１１８に対して、ストロボ発光可能か否かを問い合わせる（ステップＳＴ２２２）。
【００５１】
次に、充電管理部１１８は、閃光制御部１１４に対して、ストロボ発光可能であることを通知する（ステップＳＴ２２３）。
【００５２】
次に、閃光制御部１１４は、通信制御部１１３に対して、ストロボ発光可能であることを通知する（ステップＳＴ２２４）。
【００５３】
次に、通信制御部１１３は、ストロボ発光可能であることを撮影装置１５０に通知するために、ストロボ装置１６０のＩＤを含むＡＣＫ信号を生成し、近距離通信部１１１または指向性通信部１１２は、ＡＣＫ信号を含む信号を送信する。また、撮影装置１５０の近距離通信部１０６または指向性通信部１０７は、ＡＣＫ信号を含む信号を受信し、通信制御部１０５は、受信した信号からＡＣＫ信号を抽出する（閃光可能通知）（ステップＳＴ２２５）。
【００５４】
次に、通信制御部１０５は、抽出したＡＣＫ信号を撮影制御部１０３へ出力する（ステップＳＴ２２６）。この際、撮影制御部１０５は、ステップＳＴ２２６による通知があるまで待機している。
【００５５】
次に、撮影制御部１０３は、ＬＥＤを点灯する等により、撮影が可能であることを報知する。
【００５６】
次に、撮影制御部１０３は、取得したＡＣＫ信号を閃光体管理部１０１へ転送する（ステップＳＴ２２７）。
【００５７】
次に、閃光体管理部１０１は、取得したＡＣＫ信号に含まれるＩＤを抽出し、通信制御部１０５に対して、抽出したＩＤを出力するとともに発光指示信号を生成することを指示する（ステップＳＴ２２８）。閃光体管理部１０１は、複数のＡＣＫ信号が入力した際には、最初に入力したＡＣＫ信号に含まれるＩＤのストロボ装置１６０に対する発光指示信号の生成を指示する。
【００５８】
次に、通信制御部１０５は、発光指示信号を生成し、近距離通信部１０６または指向性通信部１０７は、発光指示信号を含む信号を送信する。また、ストロボ装置１６０の近距離通信部１１１または指向性通信部１１２は、発光指示信号を含む信号を受信し、通信制御部１１３は、受信した信号から発光指示信号を抽出する（発光指示）（ステップＳＴ２２９）。
【００５９】
次に、通信制御部１１３は、抽出した発光指示信号を閃光制御部１１４へ出力する（ステップＳＴ２３０）。
【００６０】
次に、閃光制御部１１４は、充電管理部１１８に対して、ストロボ発光可能か否かを問い合わせる（ステップＳＴ２３１）。
【００６１】
次に、充電管理部１１８は、バッテリ１１６の電源電圧値がしきい値以上で且つコンデンサ１１７の充電電圧値がしきい値以上である場合に、閃光制御部１１４に対してストロボ発光が可能であることを回答する（ステップＳＴ２３２）。
【００６２】
次に、閃光制御部１１４は、閃光部１１５に対してストロボ発光を指示し（ステップＳＴ２３３）、閃光部１１５はストロボ発光する。
【００６３】
このストロボ発光と同時に、撮影制御部１０３は、撮影を行う（ステップＳＴ２３４）。
【００６４】
次に、撮影制御部１０３は、ステップＳＴ２０３で通知した時刻からの経過時間をタイマ１０２のタイマ値を用いて監視し、経過時間が所定時間Δｔになった際に、通信制御部１０５に対して通知する（ステップＳＴ２３５）。その後、タイマ１０２は、タイマ値をリセットする。
【００６５】
そして、撮影装置１５０及びストロボ装置１６０は、ステップＳＴ２０１で受け付けたＮ枚の撮影が終了するまで、ステップＳＴ２０３〜ステップＳＴ２１８と同様の処理を繰り返す。
【００６６】
撮影制御部１０３がステップＳＴ２０３、ステップＳＴ２１９及びステップＳＴ２３５で通知したタイミングが各撮影のタイミングであるが、実際には、撮影制御部１０３は、ストロボ装置１６０からＡＣＫ信号を受け取るまで撮影しないように撮影部１０４を制御する。また、撮影装置１５０は、１サイクル処理＃２５０、＃２６０毎に１枚ずつ撮影を行うとともに、ストロボ発光可能な複数のストロボ装置１６０は、１サイクル処理＃２５０、＃２６０毎に各々１回ずつストロボ発光する。
【００６７】
図３は、ストロボ発光可能なストロボ装置１６０−１〜１６０−４が順次ストロボ発光する様子を示す図である。図３の場合、被写体である新郎新婦が撮影位置＃３０１を通過する際には、撮影装置１５０は、赤外線通信を用いて探索信号を送信するか、または探索信号を指向性送信することにより、ストロボ装置１６０−１のみに探索信号を送信する。この結果、撮影装置１５０は、ストロボ装置１６０−１のみからＡＣＫ信号を受信する。これにより、撮影位置＃３０１において、ストロボ装置１６０−１は、撮影装置１５０が撮影する際にストロボ発光する。また、新郎新婦が撮影位置＃３０２を通過した後に撮影位置＃５０３に戻ることにより、撮影装置１５０は、ストロボ装置１６０−２のみに探索信号を送信する。この結果、撮影装置１５０は、ストロボ装置１６０−２のみからＡＣＫ信号を２回受信する。これにより、撮影位置＃３０２及び撮影位置＃３０３において、ストロボ装置１６０−２は、撮影装置１５０が２回撮影する際に各々ストロボ発光する。また、被写体である新郎新婦が撮影位置＃３０４を通過する際には、撮影装置１５０は、ストロボ装置１６０−３のみに探索信号を送信する。この結果、撮影装置１５０は、ストロボ装置１６０−３のみからＡＣＫ信号を受信する。これにより、撮影位置＃３０４において、ストロボ装置１６０−３は、撮影装置１５０が撮影する際にストロボ発光する。また、被写体である新郎新婦が撮影位置＃３０５を通過する際には、撮影装置１５０は、ストロボ装置１６０−４のみに探索信号を送信する。この結果、撮影装置１５０は、ストロボ装置１６０−４のみからＡＣＫ信号を受信する。これにより、撮影位置＃３０５において、ストロボ装置１６０−４は、撮影装置１５０が撮影する際にストロボ発光する。
【００６８】
このように、本実施の形態によれば、ストロボ発光可能な複数のストロボ装置を探索するとともに、探索により検出したストロボ装置を順次ストロボ発光させることにより、暗所でも連続撮影を可能にすることができる。
【００６９】
（実施の形態２）
図４は、本発明の実施の形態２に係る撮影システム４００の構成を示すブロック図である。
【００７０】
図４に示す撮影システム４００は、図１に示す実施の形態１に係る撮影システム１００に対して、撮影装置１５０の代わりに撮影装置４５０を有する。なお、図４において、図１と同一構成である部分には同一の符号を付してその説明を省略する。
【００７１】
撮影システム４００は、撮影装置４５０及びストロボ装置１６０を含む。本実施の形態において、撮影装置４５０及びストロボ装置１６０は、何れも携帯電話等の通信端末装置である。なお、撮影装置４５０及びストロボ装置１６０は、通信端末装置である場合に限らず、任意の装置にすることができる。また、撮影システム４００において、ストロボ装置１６０は、１つに限らず複数存在する場合もあるが、図４では説明の都合上、ストロボ装置１６０を１つだけ記載し、他のストロボ装置の記載は省略する。
【００７２】
撮影装置４５０の構成について、図４を用いて説明する。
【００７３】
発光タイミング決定手段としてのシナリオ生成部４０１は、あらかじめ設定した撮影枚数と閃光体管理部４０２から入力したストロボ装置１６０の数とに基づいて、各ストロボ装置１６０のストロボ発光のタイミングを決定する。そして、シナリオ生成部４０１は、決定したストロボ発光のタイミングの情報である発光タイミング情報を生成して、生成した発光タイミング情報を閃光体管理部４０２へ出力する。なお、ストロボ発光のタイミングを決定する方法については後述する。
【００７４】
閃光体管理部４０２は、通信制御部４０６から入力した、ストロボ装置１６０から送信されたＡＣＫ信号に含まれる、ストロボ装置１６０固有のＩＤの種別の数を計測することにより、ストロボ発光可能なストロボ装置１６０の数を求める。そして、閃光体管理部４０２は、求めたストロボ装置１６０の数をシナリオ生成部４０１へ出力する。また、閃光体管理部４０２は、シナリオ生成部４０１から発光タイミング情報が入力した際に、撮影制御部４０４に対して、発光タイミング情報が生成されたことを通知する。また、閃光体管理部４０２は、シャッターが操作された検出結果が撮影制御部４０４から入力した場合で、且つタイマ４０３のタイマ値が発光タイミング情報のタイミングになった場合に、通信制御部４０６に対して、ストロボ発光を指示する発光指示信号の生成を要求する。
【００７５】
タイマ４０３は、タイマ値をカウントアップする。また、タイマ４０３は、リセットの指示を受けてタイマ値をリセットする。
【００７６】
撮影制御部４０４は、閃光体管理部４０２から発光タイミング情報が生成されたことの通知を受けた際に、ＬＥＤを点灯する等により撮影が可能であることを報知する。また、撮影制御部４０４は、撮影部４０５に設けた撮影のためのシャッターの操作を検出し、検出結果を閃光体管理部４０２へ出力する。
【００７７】
撮影部４０５は、撮影のためのシャッターを有する。また、撮影部４０５は、シャッターの押圧等のシャッターが操作された際に撮影を行う。
【００７８】
通信制御部４０６は、ストロボ装置１６０を探索するための探索信号を生成する。例えば、通信制御部４０６は、電話帳情報に登録されているストロボ装置１６０、または撮影前にＩｒＤＡ等を用いて一対一通信を行うことによりあらかじめ認識して記憶しておいたストロボ装置１６０を、探索信号の宛先に設定することができる。また、通信制御部４０６は、閃光体管理部４０２からの指示により発光指示信号を生成する。そして、通信制御部４０６は、設定されている通信方式に応じて近距離通信部４０７または指向性通信部４０８を選択し、選択した近距離通信部４０７または指向性通信部４０８へ探索信号または発光指示信号を出力する。また、通信制御部４０６は、近距離通信部４０７または指向性通信部４０８から入力した信号からＡＣＫ信号を抽出し、抽出したＡＣＫ信号を閃光体管理部４０２へ出力する。
【００７９】
近距離通信部４０７は、通信制御部４０６から入力した発光指示信号または探索信号を、近距離の無線通信が可能な信号に変換して送信する。また、近距離通信部４０７は、ストロボ装置１６０から送信された信号を受信し、受信した信号を通信制御部４０６で処理可能な信号に変換して通信制御部４０６へ出力する。
【００８０】
指向性通信部４０８は、通信制御部４０６から入力した発光指示信号または探索信号を、赤外線信号等の指向性を有する信号に変換して送信する。また、指向性通信部４０８は、ストロボ装置１６０から送信されたＡＣＫ信号を受信し、受信したＡＣＫ信号を通信制御部４０６で処理可能な信号に変換して通信制御部４０６へ出力する。
【００８１】
次に、撮影装置４５０及びストロボ装置１６０の動作について、図５を用いて説明する。図５は、撮影装置４５０及びストロボ装置１６０の動作を示すシーケンス図である。
【００８２】
最初に、撮影制御部４０４は、連続撮影の設定を受け付ける（ステップＳＴ５０１）。
【００８３】
次に、撮影制御部４０４は、ステップＳＴ５０１で受け付けた連続撮影する設定を通信制御部４０６へ通知する（ステップＳＴ５０２）。
【００８４】
次に、通信制御部４０６は、ストロボ発光可能なストロボ装置を探索するための探索信号を生成し、近距離通信部４０７または指向性通信部４０８は、探索信号を含む信号を送信する。また、ストロボ装置１６０の近距離通信部１１１または指向性通信部１１２は、探索信号を含む信号を受信し、通信制御部１１３は、受信した信号から探索信号を抽出する（発光可能閃光体確認）（ステップＳＴ５０３）。
【００８５】
次に、通信制御部１１３は、抽出した探索信号を閃光制御部１１４へ出力する（ステップＳＴ５０４）。
【００８６】
次に、閃光制御部１１４は、充電管理部１１８に対して、ストロボ発光可能か否かを問い合わせる（ステップＳＴ５０５）。
【００８７】
次に、充電管理部１１８は、閃光制御部１１４に対して、ストロボ発光可能であることを通知する（ステップＳＴ５０６）。
【００８８】
次に、閃光制御部１１４は、通信制御部１１３に対して、ストロボ発光可能であることを通知する（ステップＳＴ５０７）。
【００８９】
次に、通信制御部１１３は、ストロボ発光可能であることを撮影装置４５０に通知するために、ストロボ装置１６０のＩＤを含むＡＣＫ信号を生成し、近距離通信部１１１または指向性通信部１１２は、ＡＣＫ信号を含む信号を送信する。また、撮影装置４５０の近距離通信部４０７または指向性通信部４０８は、ＡＣＫ信号を含む信号を受信し、通信制御部４０６は、受信した信号からＡＣＫ信号を抽出する（閃光可能通知）（ステップＳＴ５０８）。
【００９０】
次に、通信制御部４０６は、抽出したＡＣＫ信号を閃光体管理部４０２へ出力する（ステップＳＴ５０９）。図６（ａ）は、ストロボ装置１６０−１〜１６０−３がＡＣＫ信号＃６０１〜＃６０３を送信する様子を示す図である。図６（ａ）の場合、ストロボ装置１６０−１〜１６０−３は、３台である。
【００９１】
次に、閃光体管理部４０２は、通信制御部４０６から取得したＡＣＫ信号に含まれるＩＤの種別の数を計測してストロボ装置１６０の数を求める。
【００９２】
次に、閃光体管理部４０２は、求めた閃光体となり得る通信相手の数（Ｍ台）をシナリオ生成部４０１へ出力する（ステップＳＴ５１０）。
【００９３】
次に、撮影装置４５０の撮影制御部４０４は、撮影枚数（Ｎ枚）の設定を受け付ける（ステップＳＴ５１１）。
【００９４】
次に、撮影制御部４０４は、受け付けた撮影枚数のＮ枚を閃光体管理部４０２へ通知し（シナリオ生成要求）（ステップＳＴ５１２）、閃光体管理部４０２は、通知を受けた撮影枚数のＮ枚をシナリオ生成部４０１へ通知する（ステップＳＴ５１３）。
【００９５】
次に、シナリオ生成部４０１は、ステップＳＴ５１０で取得したストロボ装置１６０の数（Ｍ台）及び、ステップＳＴ５１０で取得した撮影枚数（Ｎ枚）に基づいて、各ストロボ装置１６０のストロボ発光のタイミングを決定する（シナリオ生成）（ステップＳＴ５１４）。例えば、シナリオ生成部４０１は、撮影時間が３０００ｍｓｅｃ、ストロボ発光可能なストロボ装置１６０が３台及び撮影枚数が３枚の場合、各ストロボ装置１６０が１０００ｍｓｅｃ間隔で順次ストロボ発光するタイミングを決定する。
【００９６】
次に、シナリオ生成部４０１は、決定したストロボ発光のタイミングの情報である発光タイミング情報を閃光体管理部４０２へ出力する（ステップＳＴ５１５）。
【００９７】
次に、閃光体管理部４０２は、発光タイミング情報を受け取った際に、撮影制御部４０４に対して、発光タイミング情報が生成されたことを通知する（生成完了通知）（ステップＳＴ５１６）。
【００９８】
次に、撮影制御部４０４は、ＬＥＤを点灯する等により、撮影が可能であることを報知する。
【００９９】
次に、撮影制御部４０４は、撮影部４０５のシャッターが操作されたことを検出した際に（ステップＳＴ５１７）、閃光体管理部４０２に対して、シャッターが操作された検出結果を出力する（シナリオ起動要求）（ステップＳＴ５１８）。
【０１００】
次に、閃光体管理部４０２は、通信制御部４０６に対して、発光指示信号の生成を指示する（発光指示）（ステップＳＴ５１９）。
【０１０１】
次に、通信制御部４０６は、撮影制御部４０４に対して、撮影を指示する（ステップＳＴ５２０）。
【０１０２】
また、通信制御部４０６は、発光指示信号を生成し、近距離通信部４０７または指向性通信部４０８は、発光指示信号を含む信号を送信する。また、ストロボ装置１６０の近距離通信部１１１または指向性通信部１１２は、発光指示信号を含む信号を受信し、通信制御部１１３は、受信した信号から発光指示信号を抽出する（発光指示）（ステップＳＴ５２１）。
【０１０３】
次に、通信制御部１１３は、抽出した発光指示信号を閃光制御部１１４へ出力する（ステップＳＴ５２２）。
【０１０４】
次に、閃光制御部１１４は、充電管理部１１８に対して、ストロボ発光可能か否かを問い合わせる（ステップＳＴ５２３）。
【０１０５】
次に、充電管理部１１８は、バッテリ１１６の電源電圧値がしきい値以上で且つコンデンサ１１７の充電電圧値がしきい値以上である場合に、閃光制御部１１４に対してストロボ発光が可能であることを回答する（ステップＳＴ５２４）。
【０１０６】
次に、閃光制御部１１４は、閃光部１１５に対してストロボ発光を指示し（ステップＳＴ５２５）、閃光部１１５はストロボ発光する。
【０１０７】
このストロボ発光と同時に、撮影制御部４０４は、ステップＳＴ５２０での撮影の指示に従って、撮影を行う（ステップＳＴ５２６）。
【０１０８】
次に、閃光体管理部４０２は、タイマ４０３のタイマ値が、次のストロボ装置１６０にストロボ発光させるタイミングになった際に、通信制御部４０６に対して、次にストロボ発光するストロボ装置１６０に送信する発光指示信号の生成を指示する（発光指示）（ステップＳＴ５２７）。
【０１０９】
次に、通信制御部４０６は、撮影制御部４０４に対して、撮影を指示する（ステップＳＴ５２８）。
【０１１０】
また、通信制御部４０６は、発光指示信号を生成し、近距離通信部４０７または指向性通信部４０８は、ステップＳＴ５２１で発光指示信号を送信したストロボ装置１６０の次にストロボ発光させるストロボ装置１６０に対して、発光指示信号を含む信号を送信する（ステップＳＴ５２９）。
【０１１１】
次に、撮影制御部４０４は、ステップＳＴ５２８での撮影の指示に従って、ステップＳＴ５２９で送信した発光指示信号に従ってストロボ装置１６０がストロボ発光するタイミングで、撮影を行う（ステップＳＴ５３０）。
【０１１２】
図６（ｂ）は、ストロボ装置１６０−１〜１６０−３が順次ストロボ発光する様子を示す図である。例えば、図６（ｂ）の場合、シナリオ生成部１０１は、ストロボ装置１６０−１、１６０−２、１６０−３の順番に１０００ｍｓｅｃの間隔でストロボ発光するタイミングを決定する。そして、撮影装置４５０は、各ストロボ装置１６０−１〜１６０−３がストロボ発光するタイミングにおいて、発光指示信号＃６１１、＃６１２、＃６１３の順番で発光指示信号＃６１１〜＃６１３を送信する。これにより、撮影装置４５０は、暗所において、１０００ｍｓｅｃ間隔で連続撮影することが可能になる。
【０１１３】
次に、閃光体管理部４０２は、Ｎ枚の撮影が終了した際に、撮影制御部４０４に対して、撮影終了を通知する（シナリオ実行完了通知）（ステップＳＴ５３１）。
【０１１４】
図７は、撮影装置４５０が、シナリオ生成部４０１で生成した発光タイミング情報により、ストロボ装置１６０の発光タイミングを制御する様子を示す図である。図７の場合、被写体である新郎新婦は、ストロボ装置１６０−１〜１６０−４の前を順番に通過するので、撮影装置４５０のシナリオ生成部４０１は、ストロボ装置１６０−１〜１６０−４が順番にストロボ発光する発光タイミング情報を生成する。
【０１１５】
このように、本実施の形態によれば、上記実施の形態１の効果に加えて、複数のストロボ装置のストロボ発光のタイミングになった際に、各々のストロボ装置に対して自動的に発光指示信号を各々送信することにより、撮影の都度、ストロボ発光可能なストロボ装置を探す煩わしさをなくすることができる。
【０１１６】
（実施の形態３）
図８は、本発明の実施の形態３に係る撮影システム８００の構成を示すブロック図である。
【０１１７】
図８に示す撮影システム８００は、図４に示す実施の形態２に係る撮影システム４００に対して、閃光体管理部４０２の代わりに閃光体管理部８０１を有し、撮影制御部４０４の代わりに撮影制御部８０２を有し、通信制御部４０６の代わりに通信制御部８０３を有し、通信制御部１１３の代わりに通信制御部８１１を有し、閃光制御部１１４の代わりに閃光制御部８１２を有し、充電管理部１１８の代わりに充電管理部８１３を有する。なお、図８において、図４と同一構成である部分には同一の符号を付してその説明を省略する。
【０１１８】
撮影システム８００は、撮影装置８５０及びストロボ装置８６０を含む。本実施の形態において、撮影装置８５０及びストロボ装置８６０は、何れも携帯電話等の通信端末装置である。なお、撮影装置８５０及びストロボ装置８６０は、通信端末装置である場合に限らず、任意の装置にすることができる。また、撮影システム８００において、ストロボ装置８６０は、１つに限らず複数存在する場合もあるが、図８では説明の都合上、ストロボ装置８６０を１つだけ記載し、他のストロボ装置の記載は省略する。
【０１１９】
最初に、撮影装置８５０の構成について、図８を用いて説明する。
【０１２０】
シナリオ生成部４０１は、あらかじめ設定した撮影枚数と閃光体管理部８０１から入力したストロボ装置８６０の数とに基づいて、各ストロボ装置８６０のストロボ発光のタイミングを決定する。そして、シナリオ生成部４０１は、決定したストロボ発光のタイミングの情報である発光タイミング情報を生成して、生成した発光タイミング情報を閃光体管理部８０１へ出力する。
【０１２１】
閃光体管理部８０１は、通信制御部８０３から入力した、ストロボ装置８６０から送信されたＡＣＫ信号に含まれる、通信相手固有のＩＤの種別の数を計測することにより、ストロボ装置８６０の数を求める。そして、閃光体管理部８０１は、求めたストロボ装置８６０の数をシナリオ生成部４０１へ出力する。また、閃光体管理部８０１は、シナリオ生成部４０１から発光タイミング情報が入力した際に、撮影制御部８０２に対して、発光タイミング情報が生成されたことを通知する。また、閃光体管理部８０１は、ストロボ装置８６０のバッテリ１１６の電圧値の情報である電圧情報が通信制御部８０３から入力した際に、電圧情報の電圧値を参照し、閃光部１１５がストロボ発光するために必要な電圧値に充電されるまでの時間を求める。そして、閃光体管理部８０１は、発光タイミング情報のタイミングを、求めた時間後にストロボ発光するタイミングに修正する。そして、閃光体管理部８０１は、撮影制御部８０２に対して、発光タイミング情報を修正したことを通知する。また、閃光体管理部８０１は、シャッターが操作された検出結果が撮影制御部８０２から入力した際に、通信制御部８０３に対して、ストロボ装置８６０のストロボ発光を指示する発光指示信号の生成を要求する。
【０１２２】
撮影制御部８０２は、閃光体管理部８０１から発光タイミング情報が生成されたことの通知を受けた際、または発光タイミング情報を修正した通知を受けた際に、ＬＥＤを点灯する等により撮影が可能であることを報知する。また、撮影制御部８０２は、シャッター操作を検出した際に、閃光体管理部８０１に対して、ストロボ発光を指示するように要求する。また、撮影制御部８０２は、撮影部４０５に設けた撮影のためのシャッターの操作を検出し、検出結果を閃光体管理部８０１へ出力する。
【０１２３】
通信制御部８０３は、ストロボ装置８６０を探索するための探索信号を生成する。例えば、通信制御部８０３は、電話帳情報に登録されているストロボ装置８６０、または撮影前にＩｒＤＡ等を用いて一対一通信を行うことによりあらかじめ認識して記憶しておいたストロボ装置８６０を、探索信号の宛先に設定することができる。また、通信制御部８０３は、閃光体管理部８０１からの指示により発光指示信号を生成する。そして、通信制御部８０３は、設定されている通信方式に応じて近距離通信部４０７または指向性通信部４０８を選択し、選択した近距離通信部４０７または指向性通信部４０８へ探索信号または発光指示信号を出力する。また、通信制御部８０３は、近距離通信部４０７または指向性通信部４０８から入力した信号からＡＣＫ信号または電圧情報を抽出し、抽出したＡＣＫ信号または電圧情報を閃光体管理部８０１へ出力する。
【０１２４】
近距離通信部４０７は、通信制御部８０３から入力した発光指示信号または探索信号を、近距離の無線通信が可能な信号に変換して送信する。また、近距離通信部４０７は、ストロボ装置８６０から送信された信号を受信し、受信した信号を通信制御部８０３で処理可能な信号に変換して通信制御部８０３へ出力する。
【０１２５】
指向性通信部４０８は、通信制御部８０３から入力した発光指示信号または探索信号を、赤外線信号等の指向性を有する信号に変換して送信する。また、指向性通信部４０８は、ストロボ装置１６０から送信されたＡＣＫ信号を受信し、受信したＡＣＫ信号を通信制御部８０３で処理可能な信号に変換して通信制御部８０３へ出力する。
【０１２６】
次に、ストロボ装置８６０の構成について、図８を用いて説明する。
【０１２７】
近距離通信部１１１は、撮影装置８５０から送信された信号を受信し、受信した信号を通信制御部８１１で処理可能な信号に変換して通信制御部８１１へ出力する。また、近距離通信部１１１は、通信制御部８１１から入力した信号を、近距離の無線通信が可能な信号に変換して送信する。
【０１２８】
指向性通信部１１２は、撮影装置８５０から送信された信号を受信し、受信した信号を通信制御部８１１で処理可能な信号に変換して通信制御部８１１へ出力する。また、指向性通信部１１２は、通信制御部８１１から入力した信号をＩｒ信号等の指向性を有する信号に変換して送信する。
【０１２９】
通信制御部８１１は、近距離通信部１１１または指向性通信部１１２から入力した信号から探索信号を抽出した場合に、抽出した探索信号に含まれるアドレスを参照し、受信した探索信号が受信処理すべき信号であるか否かを判定する。また、通信制御部８１１は、受信処理すべき信号であると判定した場合に、閃光制御部８１２に対して、ストロボ発光可能か否かを問い合わせる。そして、通信制御部８１１は、閃光制御部８１２からストロボ発光可能である回答が得られた場合に、自局のＩＤを含むＡＣＫ信号を生成する。また、通信制御部８１１は、充電管理部８１３からバッテリ１１６の電圧値を取得し、取得した電圧値の電圧情報を生成する。そして、通信制御部８１１は、ＡＣＫ信号または電圧情報を含む信号を生成する。そして、通信制御部８１１は、設定されている通信方式に応じて近距離通信部１１１または指向性通信部１１２を選択し、選択した近距離通信部１１１または指向性通信部１１２へＡＣＫ信号または電圧情報を含む信号を出力する。また、通信制御部８１１は、近距離通信部１１１または指向性通信部１１２から入力した信号から発光指示信号を抽出した場合に、抽出した発光指示信号を閃光制御部８１２へ出力する。
【０１３０】
閃光制御部８１２は、通信制御部８１１から発光指示信号が入力した際に、ストロボ発光が可能であるか否かを充電管理部８１３に問い合わせる。そして、閃光制御部８１２は、充電管理部８１３からストロボ発光が可能である回答が得られた場合に、閃光部１１５に対して、ストロボ発光を指示する。一方、閃光制御部８１２は、充電管理部８１３からストロボ発光が不可能である回答が得られた場合に、閃光部１１５に対して、閃光制御部１１４から新たな発光指示信号が入力するまでストロボ発光を待機させる。
【０１３１】
充電管理部８１３は、バッテリ１１６の電源電圧値と、コンデンサ１１７の充電状態を監視する。そして、充電管理部８１３は、閃光制御部８１２からストロボ発光が可能であるか否かの問い合わせを受けた際には、バッテリ１１６の電源電圧値がしきい値以上で且つコンデンサ１１７の充電電圧値がしきい値以上である場合に、閃光制御部８１２に対してストロボ発光が可能であることを回答する。一方、充電管理部８１３は、バッテリ１１６の電源電圧値がしきい値未満である場合に、バッテリ１１６の電源電圧値を通信制御部８１１へ報告する。
【０１３２】
閃光部１１５は、閃光制御部８１２の指示に従ってストロボ発光する。
【０１３３】
次に、撮影装置８５０及びストロボ装置８６０の動作について、図９を用いて説明する。図９は、撮影装置８５０及びストロボ装置８６０の動作を示すシーケンス図である。なお、図９において、図５と同一の動作である部分には同一の符号を付してその説明を省略する。
【０１３４】
図９より、閃光制御部８１２は、充電管理部８１３に対して、ストロボ発光可能か否かを問い合わせる（ステップＳＴ５２３）。
【０１３５】
次に、充電管理部８１３は、バッテリ１１６の電源電圧値を通信制御部８１１へ報告し、通信制御部８１１は、電源電圧値を取得する（ステップＳＴ９０１）。
【０１３６】
次に、通信制御部８１１は、電圧情報を生成し、近距離通信部１１１または指向性通信部１１２は、電圧情報を含む信号を送信するとともに、撮影装置８５０の近距離通信部４０７または指向性通信部４０８は、電圧情報を含む信号を受信し、通信制御部８０３は、電圧情報を取得する（ステップＳＴ９０２）。
【０１３７】
次に、通信制御部８０３は、取得した電圧情報を閃光体管理部８０１へ出力する（ステップＳＴ９０３）。
【０１３８】
次に、閃光体管理部８０１は、発光タイミング情報のストロボ発光のタイミングを補正する（発光タイミング見直し）（ステップＳＴ９０４）。
【０１３９】
図１０は、ストロボ発光のタイミングを補正する方法を示す図である。図１０は、例えば、撮影装置８５０が、ストロボ装置Ａ〜Ｄを４台検出した場合で、且つストロボ装置Ａがストロボ発光してから次にストロボ発光するまでの充電に必要な時間が１ｓｅｃである場合を示している。撮影装置８５０の閃光体管理部８０１は、電圧値とストロボ発光するまでに必要な時間とを対応付けた発光タイミング補正情報を記憶している。また、閃光体管理部８０１は、ストロボ装置Ａの電圧情報の電源電圧値を用いて、発光タイミング補正情報を参照することにより、ストロボ装置Ａがストロボ発光するまでに必要な時間を求める。そして、閃光体管理部８０１は、ストロボ装置Ａのストロボ発光のタイミングを、求めた時間経過後にストロボ発光するストロボ発光のタイミングに補正する。また、閃光体管理部８０１は、補正後のストロボ発光のタイミングから１ｓｅｃ間隔でストロボ発光するストロボ発光のタイミングになるようにストロボ装置Ａのストロボ発光のタイミングを補正する。また、この補正に合わせて、ストロボ装置Ｂ〜ストロボ装置Ｄが、ストロボ装置Ａがストロボ発光してから１ｓｅｃ以内に等間隔でストロボ発光するようにストロボ装置Ｂ〜ストロボ装置Ｄのストロボ発光のタイミングを補正する。
【０１４０】
図１１は、各閃光体Ａ〜Ｄの補正後のストロボ発光のタイミングを示す図である。図１１より、閃光体Ａ〜閃光体Ｄのストロボ発光のタイミングは、２５０ｍｓｅｃで順次ストロボ発光するストロボ発光のタイミングに補正される。これにより、ステップＳＴ５２７以降は、補正後のストロボ発光のタイミングで発光指示信号が送信される。
【０１４１】
図９に戻って、次に、閃光体管理部８０１は、通信制御部８０３に対して、次にストロボ発光させるストロボ装置８６０に送信するための発光指示信号の生成を指示する（発光指示）（ステップＳＴ５２７）。
【０１４２】
このように、本実施の形態によれば、上記実施の形態２の効果に加えて、ストロボ装置の電圧情報を参照してストロボ発光のタイミングを補正するので、ストロボ装置を確実にストロボ発光させることができる。
【０１４３】
（実施の形態４）
図１２は、本発明の実施の形態４に係る撮影システム１２００の構成を示すブロック図である。
【０１４４】
図１２に示す撮影システム１２００は、図４に示す実施の形態２に係る撮影システム４００に対して、タイマ１２１１及びシナリオ実行部１２１２を追加し、閃光体管理部４０２の代わりに閃光体管理部１２０１を有し、閃光制御部１１４の代わりに閃光制御部１２１３を有する。なお、図１２において、図４と同一構成である部分には同一の符号を付してその説明を省略する。
【０１４５】
撮影システム１２００は、撮影装置１２５０及びストロボ装置１２６０を含む。本実施の形態において、撮影装置１２５０及びストロボ装置１２６０は、何れも携帯電話等の通信端末装置である。なお、撮影装置１２５０及びストロボ装置１２６０は、通信端末装置である場合に限らず、任意の装置にすることができる。また、撮影システム１２００において、ストロボ装置１２６０は、１つに限らず複数存在する場合もあるが、図１２では説明の都合上、ストロボ装置１２６０を１つだけ記載し、他のストロボ装置の記載は省略する。
【０１４６】
最初に、撮影装置１２５０の構成について、図１２を用いて説明する。
【０１４７】
シナリオ生成部４０１は、あらかじめ設定した撮影枚数と閃光体管理部１２０１から入力したストロボ装置１２６０の数とに基づいて、各ストロボ装置１２６０のストロボ発光のタイミングを決定する。そして、シナリオ生成部４０１は、決定したストロボ発光のタイミングの情報である発光タイミング情報を生成して、生成した発光タイミング情報を閃光体管理部１２０１へ出力する。
【０１４８】
閃光体管理部１２０１は、通信制御部４０６から入力した、ストロボ装置１２６０から送信されたＡＣＫ信号に含まれる、ストロボ装置１２６０固有のＩＤの種別の数を計測することにより、ストロボ発光可能なストロボ装置１２６０の数を求める。そして、閃光体管理部１２０１は、求めたストロボ装置１２６０の数をシナリオ生成部４０１へ出力する。また、閃光体管理部１２０１は、シナリオ生成部４０１から発光タイミング情報が入力した際に、撮影制御部４０４に対して、発光タイミング情報が生成されたことを撮影制御部４０４へ通知するとともに、発光タイミング情報を通信制御部４０６へ出力する。また、閃光体管理部１２０１は、シャッターが操作された検出結果が撮影制御部４０４から入力した場合で、且つタイマ４０３のタイマ値が発光タイミング情報の最初のストロボ発光のタイミングになった場合に、撮影を開始することを通知する撮影開始信号を通信制御部４０６へ出力する。
【０１４９】
撮影制御部４０４は、閃光体管理部１２０１から発光タイミング情報が生成されたことの通知を受けた際に、ＬＥＤを点灯する等により撮影が可能であることを報知する。また、撮影制御部４０４は、撮影部４０５に設けた撮影のためのシャッターの操作を検出し、検出結果を閃光体管理部１２０１へ出力する。
【０１５０】
通信制御部４０６は、ストロボ装置１２６０を探索するための探索信号を生成する。例えば、通信制御部４０６は、電話帳情報に登録されているストロボ装置１２６０、または撮影前にＩｒＤＡ等を用いて一対一通信を行うことによりあらかじめ認識して記憶しておいたストロボ装置１２６０を、探索信号の宛先に設定することができる。また、通信制御部４０６は、設定されている通信方式に応じて近距離通信部４０７または指向性通信部４０８を選択し、選択した近距離通信部４０７または指向性通信部４０８へ探索信号、発光タイミング情報または撮影開始信号を出力する。この際に、通信制御部４０６は、探索により検出した全てのストロボ発光可能なストロボ装置１２６０に対して、発光タイミング情報を同時に送信するタイミングで出力する。また、通信制御部４０６は、近距離通信部４０７または指向性通信部４０８から入力した信号からＡＣＫ信号を抽出し、抽出したＡＣＫ信号を閃光体管理部１２０１へ出力する。
【０１５１】
次に、ストロボ装置１２６０の構成について、図１２を用いて説明する。
【０１５２】
通信制御部１１３は、近距離通信部１１１または指向性通信部１１２から入力した信号から探索信号を抽出した場合に、抽出した探索信号に含まれるアドレスを参照し、受信した探索信号が受信処理すべき信号であるか否かを判定する。また、通信制御部１１３は、受信処理すべき信号であると判定した場合に、閃光制御部１２１３に対して、ストロボ発光可能か否かを問い合わせる。そして、通信制御部１１３は、閃光制御部１２１３からストロボ発光可能である回答が得られた場合に、自局のＩＤを含むＡＣＫ信号を生成する。そして、通信制御部１１３は、ＡＣＫ信号を含む信号を生成する。また、通信制御部１１３は、設定されている通信方式に応じて近距離通信部１１１または指向性通信部１１２を選択し、選択した近距離通信部１１１または指向性通信部１１２へＡＣＫ信号を含む信号を出力する。また、通信制御部１１３は、近距離通信部１１１または指向性通信部１１２から入力した信号から発光タイミング情報または撮影開始信号を抽出した場合に、抽出した発光タイミング情報または撮影開始信号をシナリオ実行部１２１２へ出力する。
【０１５３】
タイマ１２１１は、タイマ４０３と同期しており、シナリオ実行部１２１２の指示により、タイマ値のカウントアップを開始する。また、タイマ１２１１は、リセットの指示を受けてタイマ値をリセットする。
【０１５４】
シナリオ実行部１２１２は、通信制御部１１３から撮影開始信号が入力した際に、タイマ１２１１に対して、タイマ値のカウントアップの開始を指示する。また、シナリオ実行部１２１２は、通信制御部１１３から入力した発光タイミング情報を参照し、タイマ１２１１で計測した計測値が発光タイミング情報のストロボ発光のタイミングになった際に、閃光制御部１２１３に対してストロボ発光を指示する。
【０１５５】
閃光制御部１２１３は、探索信号を取得した通信制御部１１３から問い合わせを受けた際に、ストロボ発光が可能であるか否かを充電管理部１１８に問い合わせる。そして、閃光制御部１２１３は、充電管理部１１８からストロボ発光が可能である回答が得られた場合に、ストロボ発光が可能であることを通信制御部１１３に通知する。また、閃光制御部１２１３は、シナリオ実行部１２１２からストロボ発光を指示された際に、閃光部１１５に対して、ストロボ発光を指示する。
【０１５６】
充電管理部１１８は、バッテリ１１６の電源電圧値と、コンデンサ１１７の充電状態を監視する。そして、充電管理部１１８は、閃光制御部１２１３からストロボ発光が可能であるか否かの問い合わせを受けた際には、バッテリ１１６の電源電圧値がしきい値以上で且つコンデンサ１１７の充電電圧値がしきい値以上である場合に、閃光制御部１２１３に対してストロボ発光が可能であることを回答する。
【０１５７】
閃光部１１５は、閃光制御部１２１３の指示に従ってストロボ発光する。
【０１５８】
次に、撮影装置１２５０及びストロボ装置１２６０の動作について、図１３を用いて説明する。図１３は、撮影装置１２５０及びストロボ装置１２６０の動作を示すシーケンス図である。なお、図１３において、図５と同一の動作である部分には同一の符号を付してその説明を省略する。
【０１５９】
図１３より、閃光体管理部１２０１は、発光タイミング情報を受け取った際に、撮影制御部４０４に対して、発光タイミング情報が生成されたことを通知する（生成完了通知）（ステップＳＴ５１６）。
【０１６０】
次に、撮影制御部４０４は、ＬＥＤを点灯する等により、撮影が可能であることを報知する。
【０１６１】
次に、閃光体管理部１２０１は、発光タイミング情報を通信制御部４０６へ出力する（ステップＳＴ１３０１）。
【０１６２】
また、通信制御部４０６は、発光タイミング情報を含む信号を生成し、近距離通信部４０７または指向性通信部４０８は、発光タイミング情報を含む信号を送信するとともに、近距離通信部１１１または指向性通信部１１２は、発光タイミング情報を含む信号を受信し、通信制御部１１３は、受信した信号から発光タイミング情報を抽出する（ステップＳＴ１３０２）。
【０１６３】
次に、通信制御部１１３は、抽出した発光タイミング情報をシナリオ実行部１２１２へ出力する（ステップＳＴ１３０３）。
【０１６４】
次に、シナリオ実行部１２１２は、発光タイミング情報を受け取った際に、閃光制御部１２１３に対して、ストロボ発光が可能か否かを問い合わせる（ステップＳＴ１３０４）。
【０１６５】
次に、閃光制御部１２１３は、充電管理部１１８に対して、ストロボ発光可能か否かを問い合わせる（ステップＳＴ１３０５）。
【０１６６】
次に、充電管理部１１８は、バッテリ１１６の電源電圧値がしきい値以上で且つコンデンサ１１７の充電電圧値がしきい値以上である場合に、閃光制御部１２１３に対してストロボ発光が可能であることを回答する（ステップＳＴ１３０６）。
【０１６７】
次に、撮影装置４５０の閃光体管理部１２０１は、ステップＳＴ１３０２で発光タイミング情報を送信したストロボ装置１２６０の次にストロボ発光するストロボ装置１２６０に送信する発光タイミング情報を通信制御部４０６へ出力する（ステップＳＴ１３０７）。
【０１６８】
また、通信制御部４０６は、発光タイミング情報を含む信号を生成し、近距離通信部４０７または指向性通信部４０８は、発光タイミング情報を含む信号を送信する（ステップＳＴ１３０８）。このように、撮影装置１２５０は、ストロボ発光可能な全てのストロボ装置１２６０に対して、発光タイミング情報を略同時に送信する。
【０１６９】
次に、撮影制御部４０４は、撮影部４０５のシャッターが操作されたことを検出すると（ステップＳＴ１３０９）、閃光体管理部１２０１に対して、検出結果を出力する（ステップＳＴ１３１０）。
【０１７０】
次に、閃光体管理部１２０１は、通信制御部４０６に対して、撮影開始を通知するための撮影開始信号の生成を指示する（ステップＳＴ１３１１）。
【０１７１】
次に、通信制御部４０６は、撮影制御部４０４に対して、撮影を指示する（ステップＳＴ１３１２）。
【０１７２】
また、通信制御部４０６は、撮影開始信号を生成し、近距離通信部４０７または指向性通信部４０８は、全てのストロボ発光可能なストロボ装置宛に対して撮影開始信号を含む信号を送信するとともに、近距離通信部１１１または指向性通信部１１２は、撮影開始信号を含む信号を受信し、通信制御部１１３は、受信した信号から撮影開始信号を抽出する（ステップＳＴ１３１３）。
【０１７３】
次に、通信制御部１１３は、抽出した撮影開始信号をシナリオ実行部１２１２へ出力する（ステップＳＴ１３１４）。
【０１７４】
次に、シナリオ実行部１２１２は、タイマ１２１１のタイマ値のカウントアップを開始し、カウントアップしたタイマ値が発光タイミング情報のストロボ発光のタイミングになった際に、閃光制御部１２１３に対して、ストロボ発光を指示する（ステップＳＴ１３１５）。
【０１７５】
次に、閃光制御部１２１３は、閃光部１１５に対してストロボ発光を指示し（ステップＳＴ１３１６）、閃光部１１５はストロボ発光する。
【０１７６】
このストロボ発光と同時に、撮影制御部４０４は、ステップＳＴ１３１２での撮影の指示に従って、撮影を行う（ステップＳＴ１３１７）。
【０１７７】
次に、閃光体管理部１２０１は、撮影制御部４０４に対して、撮影開始信号の送信が完了したことを通知する（ステップＳＴ１３１８）。
【０１７８】
そして、撮影部４０５は、通信制御部４０６の指示に従って、シナリオ生成部４０１が生成した発光タイミング情報のストロボ発光のタイミングで順次撮影を行う（ステップＳＴ１３１９）。
【０１７９】
次に、閃光体管理部１２０１は、Ｎ枚の撮影が終了した際に、撮影制御部４０４に対して、撮影終了を通知する（シナリオ実行完了通知）（ステップＳＴ５３１）。
【０１８０】
このように、本実施の形態によれば、上記実施の形態２の効果に加えて、ストロボ発光可能なストロボ装置がストロボ発光のタイミングを監視してストロボ発光することにより、撮影装置１５０がストロボ発光のタイミング毎にストロボ発光の指示を行う必要がないので、撮影装置１５０の処理負荷を軽減することができる。
【０１８１】
（実施の形態５）
図１４は、本発明の実施の形態５に係る撮影システム１４００の構成を示すブロック図である。
【０１８２】
撮影システム１４００は、撮影装置１４５０及びストロボ装置１４６０を含む。本実施の形態において、撮影装置１４５０及びストロボ装置１４６０は、何れも携帯電話等の通信端末装置である。なお、撮影装置１４５０及びストロボ装置１４６０は、通信端末装置である場合に限らず、任意の装置にすることができる。また、撮影システム１４００において、ストロボ装置１４６０は、１つに限らず複数存在する場合もあるが、図１４では説明の都合上、ストロボ装置１４６０を１つだけ記載し、他のストロボ装置の記載は省略する。
【０１８３】
最初に、撮影装置１４５０の構成について、図１４を用いて説明する。
【０１８４】
録画制御部１４０１は、撮影部１４０２で撮影した被写体の映像を録画する際の録画制御を行う。また、録画制御部１４０１は、ストロボ発光の指示を受けた際に、ストロボ発光の指示を受けたことを発光指示部１４０３へ通知する。
【０１８５】
撮影部１４０２は、録画制御部１４０１の制御に従って被写体を撮影する。
【０１８６】
発光指示部１４０３は、録画制御部１４０１からストロボ発光の指示を受けたことの通知を受けた際に、通信制御部１４０４に対して、ストロボ発光を指示する発光指示信号の生成を指示する。
【０１８７】
通信制御部１４０４は、発光指示部１４０３からの指示に従って発光指示信号を生成する。例えば、通信制御部１４０４は、電話帳情報に登録されているストロボ装置１４６０、または撮影前にＩｒＤＡ等を用いて一対一通信を行うことによりあらかじめ認識して記憶しておいたストロボ装置１４６０を、発光指示信号の宛先に設定することができる。そして、通信制御部１４０４は、設定されている通信方式に応じて近距離通信部１４０５または指向性通信部１４０６を選択し、選択した近距離通信部１４０５または指向性通信部１４０６へ発光指示信号を出力する。
【０１８８】
近距離通信部１４０５は、通信制御部１４０４から入力した発光指示信号を、近距離の無線通信が可能な信号に変換して送信する。
【０１８９】
指向性通信部１４０６は、通信制御部１４０４から入力した発光指示信号を、赤外線信号等の指向性を有する信号に変換して送信する。
【０１９０】
次に、ストロボ装置１４６０の構成について、図１４を用いて説明する。
【０１９１】
近距離通信部１４１１は、撮影装置１４５０から送信された信号を受信し、受信した信号を通信制御部１４１３で処理可能な信号に変換して通信制御部１４１３へ出力する。
【０１９２】
指向性通信部１４１２は、撮影装置１４５０から送信された信号を受信し、受信した信号を通信制御部１４１３で処理可能な信号に変換して通信制御部１４１３へ出力する。
【０１９３】
通信制御部１４１３は、近距離通信部１４１１または指向性通信部１４１２から入力した信号から発光指示信号を抽出した場合に、抽出した発光指示信号を閃光制御部１４１５へ出力する。
【０１９４】
タイマ１４１４は、タイマ値をカウントアップする。また、タイマ１４１４は、リセットの指示を受けてタイマ値をリセットする。
【０１９５】
閃光制御部１４１５は、通信制御部１４１３から発行指示信号が入力した際に、所定時間を超えない範囲でランダンムな時間であるランダム値を求める。そして、閃光制御部１４１５は、タイマ１４１４のタイマ値とランダム値とが一致した際に、閃光部１４１６に対してストロボ発光を指示する。
【０１９６】
閃光部１４１６は、閃光制御部１４１５からの指示に従ってストロボ発光する。
【０１９７】
次に、撮影装置１４５０及びストロボ装置１４６０の動作について、図１５を用いて説明する。図１５は、撮影装置１４５０及びストロボ装置１４６０の動作を示すシーケンス図である。
【０１９８】
最初に、録画制御部１４０１は、動画撮影開始を受け付ける（ステップＳＴ１５０１）。
【０１９９】
次に、録画制御部１４０１は、ストロボストロボ発光を受け付ける（ステップＳＴ１５０２）。
【０２００】
次に、録画制御部１４０１は、発光指示部１４０３に対して、ストロボ発光の指示を受けたことを通知する（ステップＳＴ１５０３）。
【０２０１】
次に、発光指示部１４０３は、通信制御部１４０４に対して、発光指示信号の生成を指示する（ステップＳＴ１５０４）。
【０２０２】
次に、通信制御部１４０４は、発光指示信号を生成し、近距離通信部１４０５または指向性通信部１４０６は、発光指示信号を含む信号を送信するとともに、ストロボ装置１４６０の近距離通信部１４１１または指向性通信部１４１２は、発光指示信号を含む信号を受信し、通信制御部１４１３は、受信した信号から発光指示信号を抽出する（ランダム発光指示）（ステップＳＴ１５０５）。
【０２０３】
次に、通信制御部１４１３は、抽出した発光指示信号を閃光制御部１４１５へ出力する（ステップＳＴ１５０６）。
【０２０４】
次に、閃光制御部１４１５は、最大値Ｔを超えない範囲で、ランダム値Ｔ１（Ｔ１＜Ｔ）を求める（ステップＳＴ１５０７）。
【０２０５】
次に、閃光制御部１４１５は、閃光部１４１６に対して、ステップＳＴ１５０６で発光指示信号を取得してから時間Ｔ１ｓｅｃ経過後にストロボ発光を指示し（ステップＳＴ１５０８）、閃光部１４１６はストロボ発光する。
【０２０６】
次に、録画制御部１４０１は、新たなストロボ発光を受け付ける（ステップＳＴ１５０９）。
【０２０７】
次に、録画制御部１４０１は、発光指示部１４０３に対して、ストロボ発光の指示を受けたことを通知する（ステップＳＴ１５１０）。
【０２０８】
次に、発光指示部１４０３は、通信制御部１４０４に対して、発光指示信号の生成を指示する（ステップＳＴ１５１１）。
【０２０９】
次に、通信制御部１４０４は、発光指示信号を生成し、近距離通信部１４０５または指向性通信部１４０６は、発光指示信号を含む信号を送信するとともに、ストロボ装置１４６０の近距離通信部１４１１または指向性通信部１４１２は、発光指示信号を含む信号を受信し、通信制御部１４１３は、受信した信号から発光指示信号を抽出する（ランダム発光指示）（ステップＳＴ１５１２）。
【０２１０】
次に、通信制御部１４１３は、抽出した発光指示信号を閃光制御部１４１５へ出力する（ステップＳＴ１５１３）。
【０２１１】
次に、閃光制御部１４１５は、最大値Ｔを超えない範囲で、ランダム値Ｔ２（Ｔ２＜Ｔ）を求める（ステップＳＴ１５１４）。
【０２１２】
次に、閃光制御部１４１５は、閃光部１４１６に対して、ステップＳＴ１５１３で発光指示信号を取得してから時間Ｔ２ｓｅｃ経過後にストロボ発光を指示し（ステップＳＴ１５１５）、閃光部１４１６はストロボ発光する。
【０２１３】
そして、撮影装置１４５０は、ストロボ発光を受け付ける毎に、これらの処理を繰り返す。
【０２１４】
また、録画制御部１４０１は、ステップＳＴ１５０１で録画撮影開始を受け付けることにより撮影を開始してから撮影した映像を録画する。
【０２１５】
上記の処理により、撮影装置１４５０は、複数のストロボ装置１４６０を短時間の間にランダムに各々ストロボ発光させる状態を作り出すことができる。これにより、例えば、撮影装置１４５０は、被写体である新郎新婦が多くの記者にインタビューを受けているような状況の映像を録画することができる。撮影装置１４５０は、このようなストロボ装置１４６０をランダムにストロボ発光させる機能をエンタテイメント機能として備えることができる。
【０２１６】
このように、本実施の形態によれば、上記実施の形態１の効果に加えて、複数のストロボ装置１４６０を短時間の間にランダムに各々ストロボ発光させる状態を作り出すことにより、撮影者または被写体の好みに応じた映像を録画することができる。
【０２１７】
なお、上記実施の形態１〜実施の形態５において、ストロボ発光可能なストロボ装置は、ストロボ発光モードに移行した際にストロボ発光し、ストロボ発光モード以外ではストロボ発光しないようにしても良い。
【０２１８】
また、上記実施の形態１〜実施の形態５は、ストロボ機能を有する機器であれば任意の機器に適用することができる。図１６は、撮影システム１６００を示す図である。例えば、図１６に示すように、撮影を行う撮影装置１６０１は、ストロボ発光部１６０２を複数有するストロボ発光装置１６０３に対して発光指示信号を送信し、ストロボ発光装置１６０３は、発光指示信号を受信する毎に異なるストロボ発光部１６０２がストロボ発光するようにしても良い。
【産業上の利用可能性】
【０２１９】
本発明にかかる撮影装置、ストロボ装置及び撮影方法は、特に暗所で連続撮影を行うのに好適である。
【図面の簡単な説明】
【０２２０】
【図１】本発明の実施の形態１に係る撮影システムの構成を示すブロック図
【図２】本発明の実施の形態１に係る撮影装置及びストロボ装置の動作を示すシーケンス図
【図３】本発明の実施の形態１に係るストロボ装置が順次ストロボ発光する様子を示す図
【図４】本発明の実施の形態２に係る撮影システムの構成を示すブロック図
【図５】本発明の実施の形態２に係る撮影装置及びストロボ装置の動作を示すシーケンス図
【図６】本発明の実施の形態２に係るストロボ装置が順次ストロボ発光する様子を示す図
【図７】本発明の実施の形態２に係るストロボ装置が順次ストロボ発光する様子を示す図
【図８】本発明の実施の形態３に係る撮影システムの構成を示すブロック図
【図９】本発明の実施の形態３に係る撮影装置及びストロボ装置の動作を示すシーケンス図
【図１０】本発明の実施の形態３に係るストロボ発光タイミングを補正する方法を示す図
【図１１】本発明の実施の形態３に係る補正後のストロボ発光タイミングを示す図
【図１２】本発明の実施の形態４に係る撮影システムの構成を示すブロック図
【図１３】本発明の実施の形態４に係る撮影装置及びストロボ装置の動作を示すシーケンス図
【図１４】本発明の実施の形態５に係る撮影システムの構成を示すブロック図
【図１５】本発明の実施の形態５に係る撮影装置及びストロボ装置の動作を示すシーケンス図
【図１６】他の撮影システムを示す図
【符号の説明】
【０２２１】
１００、４００、８００、１２００、１４００  撮影システム
１０１  閃光体管理部
１０２  タイマ
１０３  撮影制御部
１０４  撮影部
１０５、１１３  通信制御部
１０６、１１１  近距離通信部
１０７、１１２  指向性通信部
１１４  閃光制御部
１１５  閃光部
１１６  バッテリ
１１７  コンデンサ
１１８  充電管理部
１５０、４５０、８５０、１２５０、１４５０  撮影装置
１６０、８６０、１２６０、１４６０  ストロボ装置
【図１】
2009033668.tif 000003
【図２】
2009033668.tif 000004
【図３】
2009033668.tif 000005
【図４】
2009033668.tif 000006
【図５】
2009033668.tif 000007
【図６】
2009033668.tif 000008
【図７】
2009033668.tif 000009
【図８】
2009033668.tif 000010
【図９】
2009033668.tif 000011
【図１０】
2009033668.tif 000012
【図１１】
2009033668.tif 000013
【図１２】
2009033668.tif 000014
【図１３】
2009033668.tif 000015
【図１４】
2009033668.tif 000016
【図１５】
2009033668.tif 000017
【図１６】
2009033668.tif 000018